(57)【要約】【課題】これまでオリンピックメダリストクラスのごく少数のアスリートや低圧室又は低酸素室の研究に携わる特定の人しか入室できなかった低圧室や低酸素室を、何時でも、何処でも、誰にでも、簡単且つ容易に、低圧室又は低酸素室に入室できるサービスのビジネスモデルに関するものである。【解決手段】低圧室や低酸素室を、低圧室サービスショップに設置して、一定の料金を支払えさえすれば低圧室や低酸素室に入室できるサービスのビジネスモデルにより、何時でも、何処でも、誰にでも、簡単且つ容易に、低圧室又は低酸素室に入室できるようにした。【選択図】  図１
2007058822.tif 000002
【特許請求の範囲】
【請求項１】
低圧室又は低酸素室を用いて人又は動物を入室せしめて料金を徴収することを特徴とするビジネスモデル
【請求項２】
低圧室又は低酸素室を用いて人又は動物を入室せしめて、その入室経歴及び身長、体重、血圧等の個人データを電子媒体に記録してサービスすることを特徴とする請求項１記載のビジネスモデル
【発明の詳細な説明】
【技術分野】
【０００１】    従来、低圧室又は低酸素室に関する特許や文献はいくつかみられるが、低圧室又は低酸素室として設備化されたものはごく僅かで、国立の低酸素室設備はオリンピックメダリストクラスしか入室することができない。また、大学の研究機関としては筑波大学、東海大学或いは信州大学に高地に関する低圧室研究施設があるだけで、その低圧室には研究に携わる特定の人しか入室することはできなかった。本発明は、これまでオリンピックメダリストクラスや低圧室又は低酸素室の研究に携わる特定の人しか入室できなかった低圧室や低酸素室を、何時でも、何処でも、誰にでも、簡単且つ容易に低圧室又は低酸素室に入室できるサービスに関するものである。
【背景技術】
【０００２】
【特許文献１】  従来、特公平２−４２９９２に運動用気密室、実開平２−１１８５７１にトレーニング用加減圧カプセル、また特開平８−１１２３７３においては疑似高地トレーニングを想定した減圧訓練施設、特開平１１−３３６３７３においては運動選手が長期間滞在できる減圧施設、特許２９１９１１１号及び特開２０００−５４６６６においては地下又は半地下に設置された運動用大規模減圧訓練施設、が提案されているが、いずれの提案も施設の構造に関するものであり、特定の運動選手や研究者のみしか入室できないということが大きな欠点であった。
【非特許文献１】  従来、インターネット上ではドクター・フィル・マフェトンのハイポバーリクチャンバー即ち低圧室に関する文献が公知であるが、低圧室のもたらす効果については記述されているものの、何時でも、何処でも、誰にでも、簡単且つ容易に入室できる具体的方法の説明がなされていないところに大きな欠点があった。
【発明の開示】
【発明が解決しようとする課題】
【０００３】  従来、オリンピックメダリストクラスや低圧室又は低酸素室の研究に携わる特定の人しか入室できなかった低圧室や低酸素室を、何時でも、何処でも、誰にでも、簡単且つ容易に低圧室又は低酸素室に入室できるサービスに関するものである。
【課題を解決するための手段】
【０００４】  本発明は、これまでオリンピックメダリストクラスや低圧室又は低酸素室の研究に携わる特定の人しか入室できなかった低圧室や低酸素室を、何時でも、何処でも、誰にでも、簡単且つ容易に低圧室又は低酸素室に入室できるよう低圧室又は低酸素室を店頭に設置して、人又は動物を入室せしめて料金を徴収するビジネスモデルであることを特徴とする。
【発明の効果】
【０００５】  本発明によって、これまでオリンピックメダリストクラスや低圧室又は低酸素室の研究に携わる特定の人しか入室できなかった低圧室や低酸素室を、一定の料金を支払えさえすれば、何時でも、何処でも、誰にでも、簡単且つ容易に低圧室又は低酸素室に入室できるようになった。
【発明を実施するための最良の形態】
【０００６】  図１に低圧室ショップの平面図を示す。低圧室ショップ１には待合い椅子２、カウンター３及び低圧室４が設置され、顧客は一定の料金を支払いインストラクター（図示せず）の指示により該低圧室４に入室することができる。【０００７】  図２に低圧室入室の経歴及び身長、体重、血圧等の個人データを電子媒体に記録する系統図を示す。低圧室４に内蔵する圧力制御装置５はパソコン６と電気的に連携し、該パソコン６は電子媒体記録装置７と電気的に連携している。低圧室入室者は該低圧室退室後に電子媒体（図示せず）を手渡すと、インストラクターは電子媒体記録装置７に顧客の電子媒体を挿入し、入室した低圧室４の日時並びに圧力・時間データ等を電子媒体に記録し顧客に返却することができる。
【図面の簡単な説明】
【０００８】
【図１】  本発明を適用した低圧室ショップの平面図を示す。
【図２】  本発明を適用した低圧室入室経歴を電子媒体に記録する系統図を示す。
【符号の説明】
１  低圧室ショップ
２  待合い椅子
３  カウンター
４  低圧室
５  圧力制御装置
６  パソコン
７  電子媒体記録装置
【図１】
2007058822.tif 000003
【図２】
2007058822.tif 000004
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
低圧室又は低酸素室を用いて人又は動物を入室せしめて料金を徴収することを特徴とする低圧室又は低酸素室のサービスに関するビジネスモデル
【請求項２】
低圧室又は低酸素室を用いて人又は動物を入室せしめて、その入室経歴及び身長、体重、血圧等の個人或いは個体データを電子媒体に記録してサービスすることを特徴とする請求項１記載の低圧室又は低酸素室のサービスに関するビジネスモデル
【手続補正２】
【補正対象書類名】明細書
【補正対象項目名】全文
【補正方法】変更
【補正の内容】
【発明の詳細な説明】
【技術分野】
【０００１】    従来、低圧室又は低酸素室に関する特許及び実用新案や学術文献はいくつかみられるが、低圧室又は低酸素室として実際に設備化されたものはごく僅かで、国立の低酸素室設備においてはオリンピックメダリストクラスのごく少数のアスリートしか入室することができない。また、大学の研究機関としては筑波大学、東海大学或いは信州大学に高地に関する低圧室研究施設があるだけで、その低圧室には研究に携わる特定の人しか入室することはできなかった。本考案は、これまでオリンピックメダリストクラスや低圧室又は低酸素室の研究に携わる特定の人しか入室できなかった低圧室や低酸素室を、何時でも、何処でも、誰にでも、簡単且つ容易に低圧室又は低酸素室に入室できるサービスのビジネスモデルに関するものである。
【背景技術】
【０００２】    （特許実用新案文献１）  従来、特公平２−４２９９２に運動用気密室、実開平２−１１８５７１にトレーニング用加減圧カプセル、また特開平８−１１２３７３においては疑似高地トレーニングを想定した減圧訓練施設、特開平１１−３３６３７３においては運動選手が長期間滞在できる減圧施設、特許２９１９１１１号及び特開２０００−５４６６６においては地下又は半地下に設置された運動用大規模減圧訓練施設、が提案されているが、いずれの提案も施設の構造に関するものであり、何時でも、何処でも、誰にでも、簡単且つ容易に、低圧室又は低酸素室に入室するための具体的記述はなかった。
（非特許実用新案文献１）  従来、インターネット上ではドクター・フィル・マフェトンのハイポバーリクチャンバー即ち低圧室に関する文献が公知であるが、低圧室のもたらす効果については記述されているものの、何時でも、何処でも、誰にでも、簡単且つ容易に、低圧室に入室できる具体的方法の説明がなされていないところに大きな欠点があった。
【発明の開示】
【発明が解決しようとする課題】
【０００３】  従来、オリンピックメダリストクラスのごく少数のアスリートや低圧室又は低酸素室の研究に携わる特定の人しか入室できなかった低圧室や低酸素室を、何時でも、何処でも、誰にでも、簡単且つ容易に、低圧室又は低酸素室に入室できる低圧室又は低酸素室のサービスのビジネスモデルに関するものである。
【課題を解決するための手段】
【０００４】  本発明は、これまでオリンピックメダリストクラスのごく少数のアスリートや低圧室又は低酸素室の研究に携わる特定の人しか入室できなかった低圧室や低酸素室を、何時でも、何処でも、誰にでも、簡単且つ容易に低圧室又は低酸素室に入室できるよう低圧室又は低酸素室を店頭に設置して、人又は動物を入室せしめて料金を徴収する低圧室又は低酸素室のサービスに関するビジネスモデルであることを特徴とする。
【発明の効果】
【０００５】  本発明によって、これまでオリンピックメダリストクラスのごく少数のアスリートや低圧室又は低酸素室の研究に携わる特定の人しか入室できなかった低圧室や低酸素室を、一定の料金を支払えさえすれば、何時でも、何処でも、誰にでも、簡単且つ容易に、低圧室又は低酸素室に入室できるようになった。
【発明を実施するための最良の形態】
【０００６】  図１に低圧室サービスショップの平面図を示す。低圧室サービスショップ１には待合い椅子２、カウンター３及び低圧室４が複数台設置され、顧客は一定の料金を支払いインストラクター（図示せず）の指示により該低圧室４に入室することができる。【０００７】  図２に低圧室入室の経歴及び身長、体重、血圧等の個人又は個体データを電子媒体に記録する系統図を示す。低圧室４に内蔵する圧力制御装置５はパソコン６と電気的に連携し、該パソコン６は電子媒体記録装置７と電気的に連携している。低圧室４入室者は該低圧室４退室後に電子媒体（図示せず）を手渡すと、インストラクターは電子媒体記録装置７に顧客の電子媒体を挿入し、入室した低圧室４の日時並びに圧力・時間データ等を電子媒体に記録し顧客に返却することができる。
【図面の簡単な説明】
【０００８】
【図１】  本発明を適用した低圧室サービスショップの平面図を示す。
【図２】  本発明を適用した低圧室入室経歴を電子媒体に記録する系統図を示す。
【符号の説明】
【０００９】１  低圧室サービスショップ
２  待合い椅子
３  カウンター
４  低圧室
５  圧力制御装置
６  パソコン
７  電子媒体記録装置
【手続補正３】
【補正対象書類名】図面
【補正対象項目名】全図
【補正方法】変更
【補正の内容】
【図１】
2007058822.tif 000005
【図２】
2007058822.tif 000006
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
賃貸用低圧室と、該賃貸用低圧室の圧力を制御する圧力制御装置と、該賃貸用低圧室に入室した顧客の入室履歴を該圧力制御装置から電気信号により転送して記録するためのパソコンと、該パソコンに記録した該入室履歴を電子媒体に書き込むための電子媒体記録装置と、該賃貸用低圧室に入室する顧客を受け付けるためのカウンターと、該顧客の待合い用椅子を備えて、顧客に低圧室賃貸サービスを行うことを特徴とする低圧室サービスに関するビジネスモデル。
【請求項２】
賃貸用低圧室において、人又は動物等の顧客を入室せしめて、日時、店名並びに圧力・時間データ等該顧客の入室履歴及び身長、体重、血圧等の個人或いは個体データを電子媒体に書き込み該顧客に提供することを特徴とする請求項１記載の低圧室サービスに関するビジネスモデル。
【手続補正２】
【補正対象書類名】明細書
【補正対象項目名】全文
【補正方法】変更
【補正の内容】
【発明の詳細な説明】
【技術分野】
【０００１】従来、低圧室又は低酸素室に関する特許及び実用新案や学術文献はいくつかみられるが、低圧室又は低酸素室として実際に設備化されたものはごく僅かで、国立の低酸素室設備においてはオリンピックメダリストクラスのごく少数のアスリートしか入室することができない。また、大学の研究機関としては筑波大学、東海大学或いは信州大学に高地に関する低圧室研究施設があるだけで、その低圧室には研究に携わる特定の人しか入室することはできなかった。本発明は、これまでオリンピックメダリストクラスや低圧室又は低酸素室の研究に携わる特定の人しか入室できなかった低圧室を、何時でも、何処でも、誰にでも、簡単且つ容易に低圧室に入室できることを目的とする低圧室サービスのビジネスモデルに関するものである。
【背景技術】
【０００２】  （特許実用新案文献１）  従来、特公平２−４２９９２に運動用気密室、実開平２−１１８５７１にトレーニング用加減圧カプセル、また特開平８−１１２３７３においては疑似高地トレーニングを想定した減圧訓練施設、特開平１１−３３６３７３においては運動選手が長期間滞在できる減圧施設、特許２９１９１１１号及び特開２０００−５４６６６においては地下又は半地下に設置された運動用大規模減圧訓練施設、が提案されているが、いずれの提案も施設の構造に関するものであり、何時でも、何処でも、誰にでも、簡単且つ容易に、低圧室に入室するための具体的記述はなかった。
（非特許実用新案文献１）  従来、インターネット上ではドクター・フィル・マフェトンのハイポバーリクチャンバー即ち低圧室に関する文献が公知であるが、低圧室のもたらす効果については記述されているものの、何時でも、何処でも、誰にでも、簡単且つ容易に、低圧室に入室するための具体的方法の説明がなされていないところに大きな欠点があった。
【発明の開示】
【発明が解決しようとする課題】
【０００３】従来、オリンピックメダリストクラスのごく少数のアスリートや低圧室の研究に携わる特定の人しか入室できなかった低圧室を、何時でも、何処でも、誰にでも、簡単且つ容易に、低圧室に入室できることを目的とする低圧室サービスのビジネスモデルに関するものである。
【課題を解決するための手段】
【０００４】本発明は、これまでオリンピックメダリストクラスのごく少数のアスリートや低圧室の研究に携わる特定の人しか入室できなかった低圧室を、何時でも、何処でも、誰にでも、簡単且つ容易に低圧室に入室できるよう、請求項１の発明においては、賃貸用低圧室と、該賃貸用低圧室の圧力を制御する圧力制御装置と、該賃貸用低圧室に入室した顧客の入室履歴を該圧力制御装置から電気信号により転送して記録するためのパソコンと、該パソコンに記録した該入室履歴を電子媒体に書き込むための電子媒体記録装置と、該賃貸用低圧室に入室する顧客を受け付けるためのカウンターと、該顧客の待合い用椅子を備えて、顧客に低圧室賃貸サービスを行う低圧室サービスに関するビジネスモデルであることを特徴とする。【０００５】また、請求項２の発明においては、賃貸用低圧室において、人又は動物等の顧客を入室せしめて、日時、店名並びに圧力・時間データ等該顧客の入室履歴及び身長、体重、血圧等の個人或いは個体データを電子媒体に書き込み該顧客に提供する請求項１記載の低圧室サービスに関するビジネスモデルであることを特徴とする。
【発明の効果】
【０００６】本発明によって、これまでオリンピックメダリストクラスのごく少数のアスリートや低圧室の研究に携わる特定の人しか入室できなかった低圧室を、一定の料金を支払えさえすれば、何時でも、何処でも、誰にでも、簡単且つ容易に、低圧室に入室できるようになった。
【発明を実施するための最良の形態】
【０００７】先ず、低圧室サービスショップの構成について説明する。図１に、本発明を適用した低圧室サービスショップの平面図を示す。低圧室サービスショップ１には、賃貸用低圧室４と、該賃貸用低圧室の圧力を制御する圧力制御装置５と、該賃貸用低圧室４に入室した顧客の入室履歴を該圧力制御装置５から電気信号により転送して記録するためのパソコン６と、該パソコン６に記録した該入室履歴を電子媒体に書き込むための電子媒体記録装置７と、該賃貸用低圧室４に入室する顧客を受け付けるためのカウンター３と、該顧客の待合い用椅子２を備えている。【０００８】次に、低圧室サービスショップのサービス方法について説明する。図２に、本発明を適用した賃貸用低圧室に入室した顧客の入室履歴及び身長、体重、血圧等の個人又は個体データを電子媒体に記録する系統図を示す。低圧室サービスショップ１の、賃貸用低圧室４に附属する該賃貸用低圧室４の圧力を制御する圧力制御装置５から、該賃貸用低圧室４に入室した顧客の入室履歴を、該圧力制御装置５から電気信号により転送してパソコン６に記録し、該パソコン６に記録した該入室記録を電子媒体記録装置７で電子媒体に書き込むことができる。【０００９】上述の手段により、賃貸用低圧室４の入室者は、該賃貸用低圧室４を退室した後でインストラクターに電子媒体（図示せず）を手渡すと、該インストラクターは電子媒体記録装置７に顧客の電子媒体を挿入し、入室した賃貸用低圧室４の日時、店名並びに圧力・時間データ等を電子媒体に書き込み顧客に返却することができる。これによって該顧客は該顧客自身の低圧室入室履歴並びに個人或いは個体データを長期的に一元管理することが可能となる。
【図面の簡単な説明】
【００１０】
【図１】  本発明を適用した低圧室サービスショップの平面図を示す。
【図２】  本発明を適用した賃貸用低圧室に入室した顧客の入室履歴及び身長、体重、血圧等の個人又は個体データを電子媒体に記録する系統図を示す。
【符号の説明】
【００１１】      １  低圧室サービスショップ
２  待合い用椅子
３  カウンター
４  賃貸用低圧室
５  圧力制御装置
６  パソコン
７  電子媒体記録装置